(57)【要約】【課題】フリースパン領域における振動に起因する騒音を抑制することができると共に、スプロケット歯に摩耗による段差を生じないようにすることができ、部品点数の増加を回避できるサイレントチェーンを提供することを目的とする。【解決手段】サイレントチェーン１は、リンクプレート４がチェーン長手方向に位置をずらせて多数重ね合わされ、その最外に鋼で形成されたガイドプレート８が配置されて連結ピン７で連結されて形成される。ガイドプレート８の内面にリンクプレート４に当接する突出部１０が形成され、ガイドプレート８のばね機能により、リンクプレート４を突出部１０にて両側から中央に向けて付勢押圧すると、リンクプレート４同士の相対的回転が規制され、フリースパン領域におけるチェーンの振動と騒音が抑制される。【選択図】図２
2007092798.tif 000002
【特許請求の範囲】
【請求項１】
一対のピン挿入孔及びスプロケットに噛み合う一対の歯を有するリンクプレートが、チェーン長手方向に位置をずらせて多数重ね合わされると共に、その最外に一対のピン孔を有するガイドプレートが配置され、前記リンクプレートの各ピン挿入孔に連結ピンが挿入され、該連結ピン両端が前記ガイドプレートのピン孔に固定されてなるサイレントチェーンにおいて、
前記ガイドプレートが鋼で形成されると共に、その内面に該ガイドプレートの内側に位置するリンクプレートに当接する突出部が形成され、
前記連結ピンに固定された前記ガイドプレートのばね機能により、該ガイドプレートの内側に位置するリンクプレートを前記突出部にて両側から中央に向けて付勢押圧可能としたことを特徴とするサイレントチェーン。
【請求項２】
前記突出部は、前記ガイドプレートの上端部及び／又は下端部がそれぞれ内側に折り曲げられて形成されていることを特徴とする請求項１記載のサイレントチェーン。
【請求項３】
前記突出部は、前記ガイドプレートの左端部及び／又は右端部がそれぞれ内側に折り曲げられて形成されていることを特徴とする請求項１記載のサイレントチェーン。
【発明の詳細な説明】
【技術分野】
【０００１】
本発明は、サイレントチェーンに関し、特に、駆動側スプロケット及び従動側スプロケット間に懸回されて走行する際に、フリースパン領域におけるチェーンの振動に起因する騒音の発生を抑制することができるサイレントチェーンに関する。
【背景技術】
【０００２】
一般に、サイレントチェーンは、一対のピン挿入孔及びスプロケットに噛み合う一対の歯を有するリンクプレートと、一対のピン孔を有するガイドプレートとが、長ピンと短ピンからなる連結ピン、あるいは断面円形の丸ピンからなる連結ピンにより、無端状に連結されて形成されている。
【０００３】
上記サイレントチェーンは、駆動側スプロケット及び従動側スプロケット間に懸回されて走行する際に、各スプロケットとの噛み合い走行回転に起因する多角形運動により、噛み合い開始部及び噛み外れ部において振動する。この振動により、駆動側スプロケットと従動側スプロケットとの間のフリースパン領域において、連結ピン中心に隣接するリンクプレート同士が相対的に回転し、この相対的回転により繰り返し屈曲してサイレントチェーンが振動し、この振動により騒音が発生する。
【０００４】
従来、上記のような振動に起因する騒音を抑制する手段として、リンクプレートを多数重ね合わせて形成されたチェーン幅方向中央に、ばねリンク、あるいは板形状のばねを設けて、チェーン幅方向最外に位置するガイドプレート側にリンクプレートを付勢押圧し、隣接するリンクプレート同士の接触面の面圧を高めることにより、リンクプレート同士の相対的回転を規制し、フリースパン領域における振動に起因する騒音を抑制できるサイレントチェーンが提案されている（特許文献１，２参照。）。
【特許文献１】特開平８−７４９３９号公報
【特許文献２】特開２０００−３０４１０５号公報
【発明の開示】
【発明が解決しようとする課題】
【０００５】
従来のロッカーピン型のサイレントチェーンの一例を図９、図１０に示す。このロッカーピン型のサイレントチェーン２１は、一対のピン挿入孔２２及び一対の歯２３を有する同一形状のリンクプレート２４が、チェーン長手方向に位置をずらせて指組状に多数重ね合わされると共に、その最外に一対のピン孔２９を有するガイドプレート２８が配置され、前記リンクプレート２４の各ピン挿入孔２２に挿入された連結ピン２７により屈曲自在に連結されて形成されている。
【０００６】
連結ピン２７は、長ピン２５及び短ピン２６の２本一組のピンで構成されるロッカーピンであり、長ピン２５は、短ピン２６よりも長く、その両端はチェーン幅方向の両外側に配置されたガイドプレート２８の非円形のピン孔２９に嵌着固定されている。また、長ピン２５及び短ピン２６は略同一の断面形状をなし、ピン孔２２に嵌挿された長ピン２５及び短ピン２６の背面が転動面となって、隣接するリンクプレート２４同士が相対的に回転自在なっている。
【０００７】
サイレントチェーン２１の厚み方向中央、すなわち、多数のリンクプレート２４を重ね合わせて形成されたチェーン幅方向中央に、ばねリンク３０が多数チェーン長手方向に亘って設けられている。このばねリンク３０の付勢力によりリンクプレート２４がガイドプレート側に押圧され、このため隣接するリンクプレート２４同士の接触面の面圧が高められる。その結果、リンクプレート２４同士の相対的回転が規制され、フリースパン領域における振動に起因する騒音が抑制される。
【０００８】
しかし、前記のようにチェーン幅方向中央にばねリンク３０が設けられていると、サイレントチェーン２１がスプロケット歯３１に噛み合って走行するとき、リンクプレート２４と噛み合う部分のスプロケット歯３１は繰り返し接触により摩耗するが、スプロケット歯３１とばねリンク３０とは接触しないため、スプロケット歯３１のばねリンク３０の対応部分だけは摩耗しない。
【０００９】
そのため、図１１に示すように、スプロケット歯３１の歯面には、摩耗していない非摩耗部分３２と他の摩耗した部分との間に段差が生じる。そうすると、サイレントチェーン２１が走行中振動などでずれた場合、非摩耗部分３２に乗り上げ、ずれ落ちたりすると騒音発生の要因になる、という問題がある。さらに、多数のばねリンク３０を追加して設けるため、サイレントチェーン２１の部品点数が多くなり、組み立て工程の増加、質量（重量）の増大が生じると共に、チェーン幅が広くなる、という問題がある。これら問題は、ロッカーピン型のサイレントチェーンに限らず、ばねリンクが設けられている丸ピン型のサイレントチェーンにおいても発生する問題である。
【００１０】
そこで、本発明は、前述したような従来技術の問題点を解決し、フリースパン領域における振動に起因する騒音を抑制することができると共に、スプロケット歯に摩耗による段差を生じないようにすることができ、部品点数の増加を回避でき、チェーン幅の広がりを防止することができるサイレントチェーンを提供することを目的とする。
【課題を解決するための手段】
【００１１】
請求項１に係る本発明は、一対のピン挿入孔及びスプロケットに噛み合う一対の歯を有するリンクプレートが、チェーン長手方向に位置をずらせて多数重ね合わされると共に、その最外に一対のピン孔を有するガイドプレートが配置され、前記リンクプレートの各ピン挿入孔に連結ピンが挿入され、該連結ピン両端が前記ガイドプレートのピン孔に固定されてなるサイレントチェーンにおいて、前記ガイドプレートが鋼で形成されると共に、その内面に該ガイドプレートの内側に位置するリンクプレートに当接する突出部が形成され、前記連結ピンに固定された前記ガイドプレートのばね機能により、該ガイドプレートの内側に位置するリンクプレートを前記突出部にて両側から中央に向けて付勢押圧可能としたサイレントチェーン、という構成とすることにより前記課題を解決したものである。
【００１２】
請求項２に係る本発明は、前記請求項１に係る本発明のサイレントチェーンにおいて、前記突出部が、前記ガイドプレートの上端部及び／又は下端部がそれぞれ内側に折り曲げられて形成されている、という構成としたものである。
【００１３】
請求項３に係る本発明は、前記請求項１に係る本発明のサイレントチェーンにおいて、前記突出部が、前記ガイドプレートの左端部及び／又は右端部がそれぞれ内側に折り曲げられて形成されている、という構成としたものである。
【発明の効果】
【００１４】
請求項１に係る本発明によれば、チェーンの最外に一対のピン孔を有するガイドプレートが配置され、リンクプレートの各ピン挿入孔に連結ピンが挿入され、該連結ピン両端が前記ガイドプレートのピン孔に固定されてなるサイレントチェーンにおいて、前記ガイドプレートが鋼で形成されると共に、その内面に該ガイドプレートの内側に位置するリンクプレートに当接する突出部が形成され、前記連結ピンに固定された前記ガイドプレートのばね機能により、該ガイドプレートの内側に位置するリンクプレートを前記突出部にて両側から中央に向けて付勢押圧可能としたので、ガイドプレートのばね機能により、リンクプレートをチェーン幅方向両側から中央に向けて押圧することができ、隣接するリンクプレート同士の接触面の面圧を高めて、安定した摩擦力を付与することができる。その結果、リンクプレート同士の相対的回転が規制されると共に、屈曲が規制されるので、フリースパン領域におけるサイレントチェーンの振動を抑制することができ、振動に起因する騒音を抑制することができる。
【００１５】
また、前記のようにガイドプレートが鋼で形成されると共に、その内面に該ガイドプレートの内側に位置するリンクプレートに当接する突出部が形成されているので、ガイドプレート自体がばね機能を有することにより、従来技術のように、余分にばねリンクを追加して設ける必要がなく、部品点数の増加、組み立て工程の増加、それに伴うサイレントチェーンの重量増加等を回避することができると共に、チェーン幅方向の広がりを防止することができる。この重量増加の回避が可能になるということは、サイレントチェーンを装着した伝動装置などの場合、装置自体の重量増加を回避でき、衝突エネルギーが少なくなり、それは常に望まれているところであるから、かかる要望にも適うものとすることができる。
【００１６】
請求項２に係る本発明によれば、突出部はガイドプレートの上端部及び／又は下端部がそれぞれ内側に折り曲げられて形成されているので、ガイドプレート内面における突出部の形成を容易に行うことができる。また、突出部の形成において、突出部として他の部材を取り付ける必要がなく、サイレントチェーンの重量増加を回避することができる。
【００１７】
請求項３に係る本発明によれば、突出部はガイドプレートの左端部及び／又は右端部がそれぞれ内側に折り曲げられて形成されているので、ガイドプレート内面における突出部の形成を容易に行うことができる。また、突出部の形成において、突出部として他の部材を取り付ける必要がなく、サイレントチェーンの重量増加を回避することができる。
【発明を実施するための最良の形態】
【００１８】
本発明の実施例１を図１〜図４を参照して説明する。図１は一部断面としたサイレントチェーン１の一部平面図、図２はサイレントチェーン１の一部正面図、図３はサイレントチェーン１とスプロケット歯１１との噛合状態を示す説明図、図４はガイドプレート８を示し、（Ａ）は平面図、（Ｂ）は正面図、（Ｃ）は（Ｂ）のｃ−ｃ矢視断面図である。
【００１９】
図１には、ロッカーピン型のサイレントチェーン１を示す。サイレントチェーン１は、一対のピン挿入孔２及び一対の歯３を有する同一形状のリンクプレート４が、チェーン長手方向に位置をずらせて指組状にチェーン幅方向に多数重ね合わされると共に、その最外に一対のピン孔９を有するガイドプレート８が配置され、前記リンクプレート４の各ピン挿入孔２に挿入された連結ピン７により屈曲自在に連結されて形成されている。
【００２０】
連結ピン７は、長ピン５及び短ピン６の２本一組のピンで構成されるロッカーピンであり、長ピン５は、短ピン６よりも長く、その両端はチェーン幅方向の両外側に設けられたガイドプレート８の非円形のピン孔９に嵌着固定される。この長ピン５及び短ピン６は略同一の断面形状をなし、ピン挿入孔２に嵌挿された長ピン５及び短ピン６の背面が転動面となって、隣接するリンクプレート４同士が相対的に回転自在なっている。
【００２１】
ガイドプレート８は、鋼板の上下両端部が折り曲げられて突出部１０が形成された後、熱処理が施された鋼からなり、ガイドプレート８自体がばね機能を有する。このガイドプレート８には、サイレントチェーン１全体の軽量化を図るために透孔８ａが形成されている。上記のように、長ピン５両端をチェーン幅方向の両外側に設けられたガイドプレート８の非円形のピン孔９に嵌着してサイレントチェーン１を組み立てる場合、ガイドプレート８を中央部が僅かに膨れた湾曲状にしてチェーン幅方向両側から中央に向けて押圧した状態で、長ピン５両端をガイドプレート８の非円形のピン孔９にかしめて嵌着すると、確実にリンクプレート４をチェーン幅方向両側から付勢押圧できるようになる。
【００２２】
また、図８に示すように、ガイドプレート８の下方に位置する突出部１０は、スプロケット歯１１とリンクプレート４の歯３が噛み合う箇所１２に対応した位置に形成されていることが好ましい。このようにすると、スプロケットに巻き付いて走行するサイレントチェーン１は、噛み合い開始時及び噛み外れ時における噛み合い位置で、突出部１０がリンクプレート４に当たってリンクプレート４同士の相対的回転が規制されるため、フリースパン領域における振動と騒音が抑制される。
【００２３】
前記のようにして組み立てられたサイレントチェーン１は、ガイドプレート８内側に位置するリンクプレート４を突出部１０にて両側から中央に向けて付勢押圧可能として形成されているので、ガイドプレート８のばね機能により、リンクプレート４をチェーン幅方向両側から中央に向けて押圧することができ、隣接するリンクプレート４同士の接触面の面圧を高めることができ、安定した摩擦力を付与することができる。その結果、リンクプレート４同士の相対的回転が規制され、フリースパン領域におけるチェーンの繰り返し屈曲による振動が抑制され、振動に起因する騒音を抑制することができる。
【００２４】
上記実施例１のサイレントチェーンとして、ガイドプレート８の上下両端部を折り曲げて突出部１０を形成したものについて説明したが、上端部又は下端部のいずれか一方を折り曲げて突出部１０を形成したものとしても構わない。
【００２５】
本発明の実施例２を図５〜図７を参照して説明する。図５は一部断面としたサイレントチェーン１４の一部平面図、図６はサイレントチェーン１４の一部正面図、図７はガイドプレート１５を示し、（Ａ）は平面図、（Ｂ）は正面図、（Ｃ）は（Ｂ）のｃ−ｃ矢視断面図である。この実施例２のサイレントチェーン１４は、前記実施例１のサイレントチェーン１とガイドプレート１５が異なるが、リンクプレート４、長ピン５、短ピン６、連結ピン７等は共通するもので、以下、共通する部材には同一符号を付して説明する。
【００２６】
サイレントチェーン１４は、一対のピン挿入孔２及びスプロケット歯１１に噛み合う一対の歯３を有するリンクプレート４が、チェーン長手方向に位置をずらせて指組状にチェーン幅方向に多数重ね合わされると共に、その最外に一対のピン孔１６を有するガイドプレート１５が配置され、前記リンクプレート４の各ピン挿入孔２に挿入された連結ピン７により屈曲自在に連結されて形成されている。
【００２７】
連結ピン７は、長ピン５及び短ピン６の２本一組のピンで構成されるロッカーピンであり、長ピン５の両端はチェーン幅方向の両外側に設けられたガイドプレート１５の非円形のピン孔１６に嵌着固定される。この長ピン５及び短ピン６は略同一の断面形状をなし、ピン挿入孔２に嵌挿された長ピン５及び短ピン６の背面が転動面となって、隣接するリンクプレート４同士が相対的に回転自在なっている。
【００２８】
ガイドプレート１５は、鋼板の左右両端部が折り曲げられて突出部１７が形成された後、熱処理が施された鋼からなり、ガイドプレート１５自体がばね機能を有する。このガイドプレート１５には、サイレントチェーン１４全体の軽量化を図るために透孔１５ａが形成されている。上記のように、長ピン５両端をチェーン幅方向の両外側に設けられたガイドプレート１５の非円形のピン孔１６に嵌着してサイレントチェーン１４を組み立てる場合、ガイドプレート１５を中央部が僅かに膨れた湾曲状にしてチェーン幅方向両側から中央に向けて押圧した状態で、長ピン５両端をガイドプレート１５の非円形のピン孔１６にかしめて嵌着すると、リンクプレート４をチェーン幅方向両側から付勢押圧できるようになる。
【００２９】
また、ガイドプレート１５に形成された突出部１７は、スプロケット歯１１とリンクプレート４の歯３が噛み合う箇所１２に対応した位置に形成されていることが好ましい。このようにすると、スプロケットに巻き付いて走行するサイレントチェーン１４は、噛み合い開始時及び噛み外れ時における噛み合い位置で、突出部１７がリンクプレート４に当たってリンクプレート４同士の相対的回転が規制されるため、フリースパン領域における振動と騒音が抑制される。
【００３０】
前記のようにして組み立てられたサイレントチェーン１４は、ガイドプレート１５内側に位置するリンクプレート４を突出部１７にて両側から中央に向けて付勢押圧可能として形成されているので、ガイドプレート１５のばね機能により、リンクプレート４をチェーン幅方向両側から中央に向けて押圧することができ、隣接するリンクプレート４同士の接触面の面圧を高めることができ、安定した摩擦力を付与することができる。その結果、リンクプレート４同士の相対的回転が規制され、フリースパン領域におけるチェーンの繰り返し屈曲による振動が抑制され、振動に起因する騒音を抑制することができる。
【００３１】
上記実施例２のサイレントチェーンとして、ガイドプレート１５の左右両端部を折り曲げて突出部１７を形成したものについて説明したが、左端部又は右端部のいずれか一方を折り曲げて突出部１７を形成したものとしても構わない。
【００３２】
以上、本発明の実施例１、２として、長ピン及び短ピンの２本一組のピンで構成されるロッカーピンを連結ピンとして用いたロッカーピン型のサイレントチェーンについて説明したが、本発明のサイレントチェーンは、断面円形の丸ピンを連結ピンとして用いた丸ピン型のサイレントチェーンであっても構わない。また、サイレントチェーンを構成するリンクプレートは、チェーン長手方向に位置をずらせて多数重ね合わされるが、この場合、チェーン長手方向に一枚ずつ位置をずらせても構わないが、二枚又は数枚ずつまとめて位置をずらせて指組状に組み合わせて形成したサイレントチェーンとしても構わない。
【図面の簡単な説明】
【００３３】
【図１】本発明の実施例１における、サイレントチェーンの一部平面図である。
【図２】同上、サイレントチェーンの一部正面図である。
【図３】同上、サイレントチェーンとスプロケット歯との噛合状態を示す説明図である。
【図４】同上、ガイドプレートであり、（Ａ）は平面図、（Ｂ）は正面図、（Ｃ）は断面図である。
【図５】本発明の実施例２における、サイレントチェーンの一部平面図である。
【図６】同上、サイレントチェーンの一部正面図である。
【図７】同上、ガイドプレートであり、（Ａ）は平面図、（Ｂ）は正面図、（Ｃ）は断面図である。
【図８】サイレントチェーンがスプロケット歯に噛み合う状態を示す説明図である。
【図９】従来例における、サイレントチェーンの一部平面図である。
【図１０】同上、サイレントチェーンの一部正面図である。
【図１１】同上、サイレントチェーンとスプロケット歯との噛合状態を示す説明図である。
【符号の説明】
【００３４】
１      サイレントチェーン            ２      ピン挿入孔
３      歯                            ４      リンクプレート
５      長ピン                        ６      短ピン
７      連結ピン                      ８      ガイドプレート
８ａ    透孔                          ９      ピン孔
１０    突出部                        １１    スプロケット歯
１２    歯が噛み合う箇所
１４    サイレントチェーン            １５    ガイドプレート
１５ａ  透孔                          １６    ピン孔
１７    突出部
【図１】
2007092798.tif 000003
【図２】
2007092798.tif 000004
【図３】
2007092798.tif 000005
【図４】
2007092798.tif 000006
【図５】
2007092798.tif 000007
【図６】
2007092798.tif 000008
【図７】
2007092798.tif 000009
【図８】
2007092798.tif 000010
【図９】
2007092798.tif 000011
【図１０】
2007092798.tif 000012
【図１１】
2007092798.tif 000013